(57)【特許請求の範囲】
【請求項１】
燃料ガスと酸化剤ガスとの電気化学反応により発電する燃料電池モジュールと、
前記燃料電池モジュールに前記酸化剤ガスを供給する酸化剤ガス供給装置と、
前記燃料電池モジュールを収容し外部空間と断熱する断熱用筐体と、
を備え、
前記燃料電池モジュールは、グローヒータを有し、
前記断熱用筐体は、
前記燃料電池モジュールを収容する第１断熱筐体と、
断熱性材料で形成され、前記第１断熱筐体を収容する第２断熱筐体と、
を備え、
前記グローヒータのフランジは、前記第１断熱筐体の第１壁部に固定され、
前記第１壁部には、空気が流入可能なガス空間が形成され、
前記酸化剤ガス供給装置から前記酸化剤ガスは、前記ガス空間を通流して前記燃料電池モジュールに供給され、
前記ガス空間には、前記酸化剤ガスが前記グローヒータの近傍を流れるように案内するための仕切り壁が設けられている
ことを特徴とする燃料電池システム。
【請求項２】
前記燃料電池モジュールは、前記第１断熱筐体の底壁部上に設置され、
前記燃料電池モジュールの頂部と前記第１断熱筐体の上壁部との間には、隙間が形成されている
ことを特徴とする請求項１に記載の燃料電池システム。
【発明の詳細な説明】
【技術分野】
【０００１】
本発明は、燃料電池システムに関する。
【背景技術】
【０００２】
燃料電池は、使用する電解質の種類により作動時の温度が異なる。
例えば、燃料電池が固体酸化物形燃料電池（ＳＯＦＣ：Solid Oxide Fuel Cell）の場合、電解質（固体電解質）として酸化物イオン導体を使用しており、作動時の温度が７００℃−１０００℃と高温である。
このため、下記特許文献１の燃料電池システムでは、断熱性材料で形成された筐体を備え、この筐体により燃料電池モジュール（燃料電池）を囲んでいる。
【先行技術文献】
【特許文献】
【０００３】
【特許文献１】特開２０１３−１９１３１６号公報
【発明の概要】
【発明が解決しようとする課題】
【０００４】
しかしながら、筐体のみで燃料電池（燃料電池モジュール）の放熱を抑制しようとすると、筐体を構成する壁部が肉厚となり、筐体が大型化する。
【０００５】
また、燃料電池モジュールは、グローヒータを有する排ガス燃焼器や起動用燃料器を備えている。そして、グローヒータのフランジは、通常、筐体の壁部に固定されるところ、従来の筐体は、特にフランジ部を覆うように構成されていない。このため、従来の筐体では、フランジが耐熱温度未満となるように抑制することが難しい。
【０００６】
そこで、本発明は、前記する背景に鑑みて創案された発明であって、筐体の大型化の防止、グローヒータのフランジの保護を図ることができる燃料電池システムを提供することを課題とする。
【課題を解決するための手段】
【０００７】
前記課題を解決するための手段として、本発明に係る燃料電池システムは、燃料ガスと酸化剤ガスとの電気化学反応により発電する燃料電池モジュールと、前記燃料電池モジュールに前記酸化剤ガスを供給する酸化剤ガス供給装置と、前記燃料電池モジュールを収容し外部空間と断熱する断熱用筐体と、を備え、前記燃料電池モジュールは、グローヒータを有し、前記断熱用筐体は、前記燃料電池モジュールを収容する第１断熱筐体と、断熱性材料で形成され、前記第１断熱筐体を収容する第２断熱筐体と、を備え、前記グローヒータのフランジは、前記第１断熱筐体の第１壁部に固定され、前記第１壁部には、空気が流入可能なガス空間が形成され、前記酸化剤ガス供給装置から前記酸化剤ガスは、前記ガス空間を通流して前記燃料電池モジュールに供給され、前記ガス空間には、前記酸化剤ガスが前記グローヒータの近傍を流れるように案内するための仕切り壁が設けられていることを特徴とする。
【０００８】
前記発明によれば、第１壁部のガス空間は、断熱層の役割を果たすため、第１壁部の断熱性が高い。また、ガス空間に通流する酸化剤ガスが第１壁部の熱エネルギーを吸収するため、第１壁部の断熱性がさらに高い。
以上から、断熱性の高い第１壁部を備えるため、第１壁部の外側に配置する第２断熱筐体の壁部の厚みを薄く形成することができる。
なお、第１壁部の各壁部に上記するガス空間を形成した場合、第２断熱筐体の各壁部の厚みを薄く形成することができ、第２断熱筐体の小型化を図れる。
また、酸化剤ガスが第１壁部の熱エネルギーを吸収することから、第１壁部に固定されるグローヒータのフランジも冷却される。よって、グローヒータのフランジの保護を図れる。
さらに、昇温した酸化剤ガスを燃料電池モジュールに供給できるため、燃料電池モジュールにおいて、酸化剤ガスを昇温するエネルギーを低減することができる。
【０００９】
また、前記発明において、前記燃料電池モジュールは、前記第１断熱筐体の底壁部上に設置され、前記燃料電池モジュールの頂部と前記第１断熱筐体の上壁部との間には、隙間が形成されていることが好ましい。
【００１０】
前記構成によれば、燃料電池モジュールが第１断熱筐体の底壁部上に設置されていることから、燃料電池スタックが上方に熱膨張しても、隙間に入り込むため、第１断熱筐体に歪みが発生するおそれを回避できる。
【発明の効果】
【００１１】
本発明によれば、筐体の大型化の防止、グローヒータのフランジの保護を図ることができる燃料電池システムを提供することができる。
【図面の簡単な説明】
【００１２】
【図１】燃料電池システムの基本的構成を説明するシステム図である。
【図２】本実施形態に係る断熱用筐体を前方から視た前面図である。
【図３】第１断熱用筐体の一部を分解した分解斜視図である。
【図４】図６のＩＶ−ＩＶ線矢視断面図である。
【図５】図６のＶ−Ｖ線矢視断面図である。
【図６】後壁部の後面を外した状態の第１断熱用筐体を後方であって右上方から斜視した斜視図である。
【図７】図３のＶＩＩ−ＶＩＩ線矢視断面図である。
【発明を実施するための形態】
【００１３】
まず、燃料電池システム１及び燃料電池モジュール１０の基本的構成を説明し、その次に、本発明の実施形態に係る断熱用筐体３０を説明する。
【００１４】
図１に示すように、燃料電池システム１は、燃料電池モジュール（ＳＯＦＣモジュール）１０を備え、定置用の他、車載用等の種々の用途に用いられる。
【００１５】
燃料電池モジュール１０は、燃料ガス（水素ガスにメタン、一酸化炭素が混合した気体）と酸化剤ガス（空気）との電気化学反応により発電する装置である。
燃料電池システム１は、さらに原燃料供給装置（燃料ガスポンプを含む）２、酸化剤ガス供給装置（空気ポンプを含む）３、水供給装置（水ポンプを含む）４、脱硫器５及び制御装置６を備える。
【００１６】
原燃料供給装置２は、燃料電池モジュール１０に原燃料（例えば、都市ガス）を供給する。酸化剤ガス供給装置３は、燃料電池モジュール１０に酸化剤ガスを供給する。水供給装置４は、燃料電池モジュール１０に水を供給する。脱硫器５は、都市ガス（原燃料）中に含まれる硫黄化合物を除去する。制御装置６は、燃料電池モジュール１０の発電量を制御する。
そのほか、原燃料ガスの供給流路上及び酸化剤ガスの供給流路上には、流量調整弁７，８が設けられており、供給量が適宜調整される。
【００１７】
燃料電池モジュール１０は、複数の固体酸化物形の平板積層型燃料電池が、鉛直方向に積層される固体酸化物形の燃料電池スタック１２を備える。なお、本実施形態では、燃料電池モジュール１０を鉛直方向に積層しているが、特に限られることなく、水平方向に積層してよい。
【００１８】
特に図示しないが、燃料電池は、例えば、安定化ジルコニア等の酸化物イオン導電体で構成される電解質の両面にカソード電極及びアノード電極が設けられた平板状の電解質・電極接合体（ＭＥＡ）を備える。
【００１９】
電解質・電極接合体の両側には、平板状のカソード側セパレータと平板状のアノード側セパレータとが配設される。カソード側セパレータには、カソード電極に酸化剤ガスを供給する酸化剤ガス流路が形成される。アノード側セパレータには、アノード電極に燃料ガスを供給する燃料ガス流路が形成される。
【００２０】
本実実施形態の燃料電池の作動温度は、７００℃と高温である。
燃料電池のアノード電極では、燃料ガス中のメタンが改質されて水素、ＣＯが得られ、この水素、ＣＯが電解質の前記アノード電極側に供給される。
【００２１】
燃料電池スタック１２には、各酸化剤ガス流路の入口側に一体に連通する酸化剤ガス入口連通孔１２ａ、及び酸化剤ガス流路の出口側に一体に連通する酸化剤排ガス出口連通孔１２ｃが設けられる。
燃料電池スタック１２には、さらに各燃料ガス流路の入口側に一体に連通する燃料ガス入口連通孔１２ｂ、及び燃料ガス流路の出口側に一体に連通する燃料排ガス出口連通孔１２ｄが設けられる。
【００２２】
燃料電池モジュール１０は、燃料電池スタック１２に供給する燃料ガスを改質し、かつ、燃料ガス・酸化剤ガスを昇温するため、蒸発器２１、改質器２２、第１熱交換器２３、排ガス燃焼器２４、起動用燃焼器２５及び図示しない第２熱交換器を備える。
また、蒸発器２１、改質器２２、第１熱交換器２３、排ガス燃焼器２４、起動用燃焼器２５及び第２熱交換器は、一体化（ユニット化）されている（図２参照）。
そのほか、蒸発器２１、改質器２２、第１熱交換器２３、排ガス燃焼器２４、起動用燃焼器２５及び第２熱交換器を総称してＢＯＰ２０と称する。
【００２３】
蒸発器２１は、水を蒸発させる。また、蒸発器２１に生成された水蒸気は、炭化水素を主体とする原燃料に混合され、混合ガスとして改質器２２に供給される。
改質器２２は、炭化水素を主体とする原燃料（例えば、都市ガス）と水蒸気との混合ガスを改質し、燃料電池スタック１２に供給される燃料ガスを生成する。
そして、燃料ガスは、燃料ガス入口連通孔１２ｂに接続する燃料ガス供給管１３ｂを介して燃料電池スタック１２の各燃料ガス流路に供給される。
【００２４】
排ガス燃焼器２４は、燃料電池スタック１２から排出される燃料排ガスと酸化剤排ガスとを燃焼させて燃焼ガスを発生させるとともに、その燃焼ガスを第１熱交換器２３に供給する。
なお、燃料排ガスと酸化剤排ガスは、燃料排ガス出口連通孔１２ｄに接続する燃料排ガス排出管１３ｄと、酸化剤排ガス出口連通孔１２ｃに接続する酸化剤排ガス排出管１３ｃとを介して排ガス燃焼器２４に供給される。
【００２５】
第１熱交換器２３は、燃焼ガスとの熱交換により酸化剤ガスを昇温させる。
そして、昇温した酸化剤ガスは、酸化剤ガス入口連通孔１２ａに接続する酸化剤ガス供給管１３ａを介して燃料電池スタック１２の各酸化剤ガス流路に供給される。
【００２６】
起動用燃焼器２５は、原燃料と酸化剤ガスとを燃焼させて燃焼ガスを発生させるとともに、燃焼ガスを第２熱交換器に供給する。
第２熱交換器は、燃焼ガスとの熱交換により酸化剤ガスを昇温させる。そして、昇温した酸化剤ガスは、第１熱交換器２３及び酸化剤ガス供給管１３ａを介して燃料電池スタック１２の各酸化剤ガス流路に供給されて、燃料電池スタック１２を暖機する。
【００２７】
図２に示すように、燃料電池システム１は、燃料電池モジュール１０（図２において不図示）を内部に収容し、燃料電池モジュール１０と外部空間とを断熱するための断熱用筐体３０を備える。
断熱用筐体３０は、金属材料で形成され燃料電池モジュール１０を収容する第１断熱筐体４０と、断熱性材料で形成され第１断熱筐体４０を収容する第２断熱筐体１００とを備える。
以下、第２断熱筐体１００、第１断熱筐体４０の順で説明する。
【００２８】
（第２断熱筐体）
第２断熱筐体１００は、前方に向って開口する開口部１０１ａが形成された有底矩形状の本体部１０１と、その開口部１０１ａを閉塞する前方視略矩形状の前壁部（不図示）とを備える。
本体部１０１を構成する各壁部は、内側から外側に向って断熱材１０４、空気層１０５、断熱材１０６の３層構造になっており（図２において、左壁部１０２と右壁部１０３との３層構造のみ図示）、高い断熱性を有している。
【００２９】
（第１断熱筐体）
第１断熱筐体４０は、燃料電池の放熱に対し耐熱性を有する金属、例えばステンレス鋼などで形成されている。
図３〜図６に示すように、第１断熱筐体４０は、上下方向に長い直方体状を呈しており、前壁部４１、底壁部４２、後壁部４３、左壁部４４、右壁部４５及び上壁部４６を備える。
【００３０】
前壁部４１、底壁部４２、後壁部４３、左壁部４４、右壁部４５及び上壁部４６のそれぞれは、内部に空間が形成されている。よって、各壁部は、内壁、ガス層、外壁の３層構造になっており、断熱性が高い。
【００３１】
以下、説明の都合上、前壁部４１内の空間を前壁ガス空間５１と称する。
底壁部４２内の空間を底壁ガス空間５２と称する。
後壁部４３内の空間を後壁ガス空間５３と称する。
左壁部４４内の空間を左壁ガス空間５４と称する。
右壁部４５内の空間を右壁ガス空間５５と称する。
上壁部４６内の空間を上壁ガス空間５６と称する。
【００３２】
図２に示すように、第１断熱筐体４０は、第２断熱筐体１００の底壁部１０８上に設置されている。
第１断熱筐体４０の頂部（上壁部４６の上面）と、第２断熱筐体１００の上壁部１０９の下面との間には、第１スペースＳ１が形成されている。
このため、第１断熱筐体４０が燃料電池モジュール１０の熱エネルギーを吸収して上方に熱膨張しても、第１断熱筐体４０と第２断熱筐体１００とが接触しないようになっている。
【００３３】
同様に、第１断熱筐体４０内に収容される燃料電池モジュール１０は、第１断熱筐体４０の底壁部４２上に設置されている。さらに燃料電池モジュール１０の頂部（図２の「Ｌ３」参照）と第１断熱筐体４０の上壁部４６の下面との間には、第２スペースＳ２が形成されている。
このため、燃料電池モジュール１０が上方に熱膨張しても、燃料電池モジュール１０と第１断熱筐体４０とが接触しないようになっている。
【００３４】
第１断熱筐体４０の前壁部４１には、燃料電池モジュール１０の排ガス燃焼器２４のグローヒータ２４ａを固定するための第１固定部９０と、起動用燃焼器２５のグローヒータ２４ａを固定するための第２固定部９１とが設けられている。
【００３５】
第１固定部９０及び第２固定部９１は、耐熱性の高い金属部材で形成された正面視円盤状のものである。
第１固定部９０及び第２固定部９１は、前壁部４１の前面（外面）と後面（内面）とのそれぞれに設けられている（図７参照）。
第１固定部９０及び第２固定部９１の中央部には、グローヒータ２４ａの基部側を挿入しグローヒータ２４ａを支持するための支持孔９３が形成されている（図７参照）。
また、支持孔９３の周囲には、厚み方向に貫通する貫通孔９４が形成されている（図２において第１固定部９０の方にのみ図示）。
【００３６】
図７に示すように、第１固定部９０及び第２固定部９１への固定方法は、前壁部４１の後面側にグローヒータ２４ａを配置し、グローヒータ２４ａのフランジ２４ｂを第１固定部９０又は第２固定部９１に当接させる。そして、ボルト９５の軸部を貫通孔９４内に挿入してナット９６に螺合させ、フランジ２４ｂと第１固定部９０又は第２固定部９１とを締め付ける。
これによれば、第１固定部９０及び第２固定部９１にフランジ２４ｂが重なった状態でグローヒータ２４ａが固定される。
また、支持孔９３内のグローヒータ２４ａの一部は、前壁部４１の前壁ガス空間５１内に露出している。
【００３７】
また、上述した各壁部のガス空間は、以下の部材によって各ガス空間が連続し、燃料電池モジュール１０に酸化剤ガスを供給するための酸化剤ガス流路になっている。
以下、各ガス空間を連続するための部品を説明した後、各部品と各ガス空間との関係を説明する。
【００３８】
図３に示すように、後壁部４３の前面の下側には、下方連絡部材６０が設けられている。後壁部４３の前面の上側には、上方連絡部材７０が設けられている。
下方連絡部材６０及び上方連絡部材７０は、後方に向って開口する側面視略Ｃ字状（コ字状）の部材である。
下方連絡部材６０及び上方連絡部材７０は、後壁部４３の前面に固定されている。
これにより、図４、図５に示すように、下方連絡部材６０及び上方連絡部材７０の内部空間が左右方向に延びる流路になっている。
【００３９】
さらに、図４に示すように、下方連絡部材６０の左右方向の略中央部に、仕切り部６３が設けられている。このため、下方連絡部材６０の流路は、略中央部で遮断されている。
【００４０】
図３に示すように、底壁部４２の上面の後部には、上方に延びて下方連絡部材６０に接続する第１配管８０が設けられている。
上壁部４６の下面の前部には、下方に延びて燃料電池モジュール１０に接続する第２配管８１が設けられている。
次に、本実施形態の酸化剤ガス流路の構成を説明する。
【００４１】
図２に示すように、前壁部４１の前面の上方には、ガス流入口４１ａが形成されている。そして、そのガス流入口４１ａには、酸化剤ガス供給装置３の供給管が接続し、前壁ガス空間５１内に酸化剤ガスが流入する。
【００４２】
また、前壁部４１の下面には、図示しない第１連通口が設けられている。このため、前壁ガス空間５１内の酸化剤ガスは、前壁ガス空間５１内を上部から下部に向って流れる。
【００４３】
ここで、前壁ガス空間５１には、酸化剤ガスが、支持孔９３に支持されたグローヒータ２４ａの近傍を流れるように案内するための複数の仕切り壁４１ｃが設けられている。このため、グローヒータ２４ａ及びフランジ２４ｂが冷却される。
【００４４】
図３に示すように、底壁部４２の上面の前部には、前壁部４１の第１連通口に対応する第２連通口４２ａが形成されている。
よって、前壁ガス空間５１内の酸化剤ガスは、底壁ガス空間５２の前部に流入する。そして、酸化剤ガスは、第１配管８０が設けられた後部へ移動し、第１配管８０を介して下方連絡部材６０内に流入する。
【００４５】
図４に示すように、第１配管８０は、下方連絡部材６０において仕切り部６３よりも左側に接続している。
また、下方連絡部材６０の左側開口部６１は、左壁部４４の第３連通口４４ａに接続している。
このため、第１配管８０から下方連絡部材６０に流入した酸化剤ガスは、左側へ流れ、左壁ガス空間５４内に流入する。
【００４６】
図３に示すように、左壁ガス空間５４には、前後方向の延びる第１延在部４４ｃが設けられている。この第１延在部４４ｃは、左壁ガス空間５４において高さ方向中央部であり、後寄りに設けられている。
また、左壁部４４の内面の後ろ上部側には、上方連絡部材７０の左開口部７１に接続する第４連通口４４ｂが形成されている（図５参照）。
このため、下方連絡部材６０から左壁ガス空間５４内に流入した酸化剤ガスは、上方に向ってＵ字状に湾曲しながら流れ、上方連絡部材７０内に流入する。
【００４７】
図５に示すように、上方連絡部材７０の右開口部７２は、右壁部４５の内面の後ろ上部側に形成された第５連通口４５ａに接続している。
よって、左壁ガス空間５４から上方連絡部材７０内に流入した酸化剤ガスは、上方連絡部材７０内を左方に向って流れ、右壁ガス空間５５内の上部に流入する。
【００４８】
図６に示すように、右壁ガス空間５５には、前後方向の延びる第２延在部４５ｃが設けられている。この第２延在部４５ｃは、右壁ガス空間５５において高さ方向中央部であり、後部寄りに設けられている。
また、右壁部４５の内面の後ろ下部側には、下方連絡部材６０の右開口部６２に接続する第６連通口４５ｂが形成されている。
このため、上方連絡部材７０から右壁ガス空間５５内に流入した酸化剤ガスは、下方に向ってＵ字状に湾曲しながら流れ、下方連絡部材６０内に流入する。
【００４９】
図３、図６に示すように、後壁部４３の前面の下部には、下方連絡部材６０内の空間と後壁ガス空間５３とを連通するための第７連通口４３ａが形成されている。
この第７連通口４３ａは、仕切り部６３よりも右側に位置している。
よって、右壁ガス空間５５から下方連絡部材６０内に流入した酸化剤ガスは、第７連通口４３ａを介して、後壁ガス空間５３の下部側に流入する。
【００５０】
図３に示すように、後壁部４３の上端に、上方に向って開口する開口部４３ｂが形成されている。
また、上壁部４６の下面の後部には、開口部４３ｂに接続する第８連通口４６ａが形成されている。
よって、図６に示すように、下方連絡部材６０内から後壁ガス空間５３の下部に流入した酸化剤ガスは、上方に向って流れ、開口部４３ｂ、第８連通口４６ａを介して上壁ガス空間５６内に流入する。
【００５１】
図３に示すように、上壁部４６の下面の前部には、第２配管８１の上端に接続する第９連通口４６ｂが形成されている。
このため、後壁ガス空間５３内から上壁ガス空間５６の後部に流入した酸化剤ガスは、前方に流れ、第９連通口４６ｂを介して第２配管８１内に流入する。
そして、酸化剤ガスは、第２配管８１内を通流して燃料電池モジュール１０のＢＯＰ２０（図１参照）に供給される。
【００５２】
以上、実施形態によれば、酸化剤ガス流路を構成するガス空間内を酸化剤ガスが通流して、各壁部の熱エネルギーを吸収する。このため、第１断熱筐体４０の各壁部は、断熱性材料で形成した壁部よりも断熱性が高い。
以上から、第１断熱筐体４０の各壁部の厚みを薄く形成することができる。さらに、第１断熱筐体４０の各壁部の厚みが薄くなることから、第１断熱筐体４０の外側に配置する第２断熱筐体５０を小型化することができる。
【００５３】
また、実施形態によれば、昇温した酸化剤ガスを燃料電池モジュール１０に供給するため、燃料電池モジュール１０において、酸化剤ガスを昇温するエネルギーを低減することができる。
【００５４】
また、実施形態によれば、酸化剤ガスによりグローヒータ２４ａ及びフランジ２４ｂが冷却されることから、グローヒータ２４ａ及びフランジ２４ｂの保護を図れる。
特に、本実施形態では、酸化剤ガスは、第１断熱筐体４０の各壁部において、グローヒータ２４ａを固定する前壁部４１に最初に流入する。言い換えると、壁部によって加熱されていない酸化剤ガスが供給される。
よって、グローヒータ２４ａ及びフランジ２４ｂが冷却される冷却量が大きいことから、グローヒータ２４ａ及びフランジ２４ｂをより確実に保護できる。
【００５５】
そのほか、本実施形態によれば、酸化剤ガスが各壁部の熱エネルギーを回収するため、断熱用筐体３０の外部空間に熱エネルギーが伝わり難い。言い換えると、断熱用筐体３０を建物の外壁近傍やマンションの限られたスペースに設置しても、建物の外壁等に熱エネルギーが伝わり難い。以上から、断熱用筐体３０を建物の外壁等に寄せて設置することが可能となり、設置スペースの狭小化を図れる。
【００５６】
以上、実施形態について説明したが、本発明は、実施形態で説明した例に限定されない。たとえば、断熱用筐体３０に収容されたＢＯＰ２０は、水蒸気改質型であったが、部分酸化型や、水蒸気改質型と部分酸化型との両方を備えたものであってもよく、特に限定されない。
【００５７】
また、実施形態では、第１断熱筐体４０の各壁部にガス空間が形成されているが、本発明は、これに限定されない。少なくても、グローヒータ２４ａのフランジ２４ｂが固定される前壁部４１（第１壁部）のみにガス空間が形成されていてもよい。
【００５８】
また、酸化剤ガス流路について、本発明において特に限定されない。例えば、前壁ガス空間５１、底壁ガス空間５２、右壁ガス空間５５、後壁ガス空間５３、左壁ガス空間５４、ＢＯＰ２０の順で酸化剤ガスが流れてもよい。
また、底壁ガス空間５２から右壁ガス空間５５と左壁ガス空間５４とに分かれ、後壁ガス空間５３で合流するようにしてもよい。
続する順番は、
【符号の説明】
【００５９】
１      燃料電池システム
１０    燃料電池モジュール
１２    燃料電池スタック
２０    ＢＯＰ
２４ａ  グローヒータ
２４ｂ  フランジ
３０    断熱用筐体
４０    第１断熱筐体
４１    前壁部（第１壁部）
１００  第２断熱筐体
Ｓ１    第１スペース
Ｓ２    第２スペース（隙間）
【図１】
0006635855.tif 000002
【図２】
0006635855.tif 000003
【図３】
0006635855.tif 000004
【図４】
0006635855.tif 000005
【図５】
0006635855.tif 000006
【図６】
0006635855.tif 000007
【図７】
0006635855.tif 000008